(57)【要約】【課題】  バンド駒を脆性材料で形成しても、衝撃によるバンド駒の破損を防ぐことができるバンドおよびそれを備えた時計を提供する。【解決手段】  一端部に凸部６が設けられ、他端部に凸部６と対応する大きさの凹部７が設けられた脆性材料の複数のバンド駒３と、これらのバンド駒３の凸部６に設けられた第１駒連結孔８と凸部６が配置される他のバンド駒３の凹部７の両側部７ａに設けられた第２駒連結孔９とに挿入されて、バンド駒３の凸部６と他のバンド駒３の凹部７とを非接触状態で固定する緩衝筒４と、この緩衝筒４内に挿入されてバンド駒３と他のバンド駒３とを連結する連結ピン５と、を備えている。従って、緩衝筒４によってバンド駒３の凸部６と他のバンド駒３の凹部７とを非接触状態で固定することができるので、バンド駒３を脆性材料で形成しても、衝撃によるバンド駒３の破損を防ぐことができる。【選択図】        図４
2019084332.tif 000002
【特許請求の範囲】
【請求項１】
一端部に凸部が設けられ、他端部に前記凸部と対応する大きさの凹部が設けられた脆性材料のバンド駒と、
前記バンド駒の前記凸部が配置される凹部が設けられた脆性材料の他の部材と、
前記バンド駒の前記凸部に設けられた第１連結孔と前記他の部材の前記凹部の両側部に設けられた第２連結孔とに挿入されて、前記バンド駒の前記凸部と前記他の部材の前記凹部とを非接触状態で固定する緩衝筒と、
前記緩衝筒内に挿入されて前記バンド駒と前記他の部材とを連結する連結部材と、
を備えていることを特徴とするバンド。
【請求項２】
請求項１に記載のバンドにおいて、前記バンド駒の前記第１連結孔の内径と前記他の部材の前記第２連結孔の内径とが異なり、前記緩衝筒は、前記第１連結孔と前記第２連結孔との境界部に位置して前記凸部と前記凹部との接触を防ぐための段差部が設けられていることを特徴とするバンド。
【請求項３】
請求項１または請求項２に記載のバンドにおいて、前記バンド駒の前記凸部と前記他の部材の前記凹部との接触を防ぐ緩衝部材が前記凸部または前記凹部に設けられていることを特徴とするバンド。
【請求項４】
請求項３に記載のバンドにおいて、前記緩衝部材は、前記バンド駒の前記凸部と前記他の部材の前記凹部との間に配置される第１緩衝部と、前記凸部の前記第１連結孔と前記凹部の前記第２連結孔との少なくとも一方に挿入されて前記連結部材が挿入する筒状の第２緩衝部と、を備えていることを特徴とするバンド。
【請求項５】
請求項１〜請求項４のいずれかに記載のバンドにおいて、前記バンド駒の両側部と前記他の部材の両側部とには、保護部材が取り付けられていることを特徴とするバンド。
【請求項６】
請求項１〜請求項５のいずれかに記載のバンドにおいて、前記他の部材は、前記バンド駒と同じバンド駒であり、前記バンド駒の前記凸部が隣接する前記他のバンド駒の前記凹部内に配置されて連結されることを特徴とするバンド。
【請求項７】
請求項１〜請求項５のいずれかに記載のバンドにおいて、前記他の部材は、ケースに設けられた脆性材料のバンド取付部であり、前記バンド取付部の前記凹部内に前記バンド駒の前記凸部が配置されて連結されることを特徴とするバンド。
【請求項８】
請求項１〜請求項７のいずれかに記載されたバンドを備えていることを特徴とする時計。
【発明の詳細な説明】
【技術分野】
【０００１】
この発明は、腕時計やバッグ、鞄などに用いられるバンドおよびそれを備えた時計に関する。
【背景技術】
【０００２】
例えば、腕時計のバンドにおいては、特許文献１に記載されているように、一端部に凸部が設けられ、他端部に前記凸部と対応する大きさの凹部が設けられたバンド駒同士を連結する際に、バンド駒の凸部を隣接する他のバンド駒の凹部内に配置させて、金属製の連結ピンによって凸部と凹部とを連結する構造のものが知られている。
【先行技術文献】
【特許文献】
【０００３】
【特許文献１】特開２０１７−８０６０５号公報
【０００４】
この種のバンドにおいては、バンド駒の凸部を隣接する他のバンド駒の凹部内に配置させた状態で、凸部の両側面とこれに対応する凹部内の両側面との間に弾性材料を配置させ、連結ピンによって連結されたバンド駒同士の回転角度を弾性部材の弾性力によって任意の角度で保持するように構成されている。
【発明の概要】
【発明が解決しようとする課題】
【０００５】
このような腕時計のバンドでは、バンド駒をサファイア、ガラス、セラミックなどの脆性材料で形成した際に、弾性材料によってバンド駒の凸部と他のバンド駒の凹部との接触によるバンド駒の破損を防ぐことができても、バンド駒の凸部と他のバンド駒の凹部とに、これらを連結する金属製の連結ピンが接触しているため、落下などの衝撃を受けると、連結ピンによってバンド駒の凸部と他のバンド駒の凹部とが破損し易いという問題がある。
【０００６】
この発明が解決しようとする課題は、バンド駒を脆性材料で形成しても、衝撃によるバンド駒の破損を防ぐことができるバンドおよびそれを備えた時計を提供することである。
【課題を解決するための手段】
【０００７】
この発明は、一端部に凸部が設けられ、他端部に前記凸部と対応する大きさの凹部が設けられた脆性材料のバンド駒と、前記バンド駒の前記凸部が配置される凹部が設けられた脆性材料の他の部材と、前記バンド駒の前記凸部に設けられた第１連結孔と前記他の部材の前記凹部の両側部に設けられた第２連結孔とに挿入されて、前記バンド駒の前記凸部と前記他の部材の前記凹部とを非接触状態で固定する緩衝筒と、前記緩衝筒内に挿入されて前記バンド駒と前記他の部材とを連結する連結部材と、を備えていることを特徴とするバンドである。
【発明の効果】
【０００８】
この発明によれば、バンド駒を脆性材料で形成しても、衝撃によるバンド駒の破損を防ぐことができる。
【図面の簡単な説明】
【０００９】
【図１】この発明を腕時計に適用した第１実施形態を示した拡大正面図である。
【図２】図１に示された腕時計の拡大側面図である。
【図３】図１に示されたバンドの要部を示し、（ａ）はその拡大正面図、（ｂ）はその拡大側面図である。
【図４】図３（ａ）に示されたバンドのＡ−Ａ矢視における拡大断面図である。
【図５】図３（ａ）に示されたバンドの要部を分解して示した拡大正面図である。
【図６】図３（ａ）に示されたバンドのＢ−Ｂ矢視における拡大断面図である。
【図７】図１に示された腕時計のバンド取付部のＣ−Ｃ矢視における拡大断面図である。
【図８】図１に示された腕時計のバンド取付部にバンドを取り付ける状態を示した分解斜視図である。
【図９】図４に示されたバンドの変形例を示した要部の拡大断面図である。
【図１０】この発明を腕時計に適用した第２実施形態において、バンドの要部を示した拡大正面図である。
【図１１】図１０に示されたバンドのＤ−Ｄ矢視における拡大断面図である。
【図１２】図１１に示されたバンドの緩衝部材を示した拡大斜視図である。
【発明を実施するための形態】
【００１０】
（第１実施形態）
以下、図１〜図８を参照して、この発明を腕時計に適用した第１実施形態について説明する。
この腕時計は、図１および図２に示すように、腕時計ケース１とバンド２とを備えている。バンド２は、図３〜図５に示すように、複数のバンド駒３を備え、これら複数のバンド駒３を一対の緩衝筒４と連結部材である連結ピン５とで順次連結した構造になっている。
【００１１】
複数のバンド駒３それぞれは、図３〜図５に示すように、サファイア、ガラス、セラミックなどの硬い脆性材料で形成されている。このバンド駒３は、一端部に凸部６が設けられ、他端部に凸部６とほぼ対応する大きさの凹部７が設けられている。凸部６は、バンド駒３の一端部の中間部に設けられている。
【００１２】
この凸部６は、図３〜図５に示すように、バンド駒３の連結方向であるバンド２の長手方向と直交する幅方向の長さが、バンド駒３の連結方向と直交する幅方向の長さのほぼ半分程度の長さで形成されている。また、この凸部６は、バンド駒３の連結方向に突出する突出長さが、バンド駒３の連結方向の長さのほぼ半分程度の長さで形成されている。
【００１３】
バンド駒３の凹部７は、図３〜図５に示すように、凸部６と反対側に位置するバンド駒３の他端部の中間部に設けられている。この凹部７は、バンド駒３の連結方向であるバンド２の長手方向と直交する幅方向の長さが、凸部６のバンド駒３の連結方向と直交する幅方向の長さよりも少し長く形成されている。また、この凹部７は、バンド駒３の連結方向の切欠き長さが、凸部６のバンド駒３の連結方向の突出長さよりも少し長く形成されている。
【００１４】
これにより、バンド駒３は、図３〜図５に示すように、凸部６が隣接する他のバンド駒３の凹部７に配置された際に、凸部６の両側面とこれに対向する凹部７内の両側面との間、および凸部６の先端面とこれに対応する凹部７内の内端面との間にそれぞれ僅かな隙間が設けられるように構成されている。
【００１５】
この場合、凸部６には、図４に示すように、第１駒連結孔８がバンド駒３の連結方向であるバンド２の長手方向と直交する幅方向に貫通して設けられている。また、凹部７の両側部７ａには、第２駒連結孔９がバンド駒３の連結方向と直交する幅方向にそれぞれ貫通して設けられている。
【００１６】
凸部６の第１駒連結孔８と凹部７の両側部７ａの第２駒連結孔９とは、図４に示すように、バンド駒３の凸部６が隣接する他のバンド駒３の凹部７に配置された際に、同一軸上に対応するように設けられている。また、凸部６の第１駒連結孔８と凹部７の両側部７ａの第２駒連結孔９とは、それぞれ内径が異なっている。すなわち、凸部６の第１駒連結孔８は、その内径が凹部７の両側部７ａの第２駒連結孔９の内径よりも小さく形成されている。
【００１７】
一方、一対の緩衝筒４は、図４および図５に示すように、シリコーンゴムなどの弾力性を有する軟質の合成樹脂によってチューブ状に形成されている。これら一対の緩衝筒４は、バンド駒３の凹部７の両側部７ａにおいて、第１、第２駒連結孔８、９内にそれぞれ配置されるように構成されている。すなわち、この緩衝筒４は、凸部６の第１駒連結孔８に挿入する小径筒部４ａと、凹部７の両側部７ａの第２駒連結孔９に挿入する大径筒部４ｂと、小径筒部４ａと大径筒部４ｂとの境界部に設けられた段差部４ｃと、を備えている。
【００１８】
この場合、小径筒部４ａは、図４に示すように、その軸方向の長さが緩衝筒４の内径よりも少し短く、かつ凸部６の両側面とこれに対向する凹部７内の両側面との間の隙間よりも十分に長く形成されている。また、大径筒部４ｂは、その軸方向の長さがバンド駒３の凹部７の両側部７ａに設けられた第２駒連結孔９の軸方向の長さよりも長く形成されている。
【００１９】
これにより、緩衝筒４は、図４に示すように、大径筒部４ｂを凹部７の両側部７ａの第２駒連結孔９に挿入させた際に、大径筒部４ｂの内端部が凹部７内に突出して、小径筒部４ａを他のバンド駒３の凸部６の第１駒連結孔８に挿入させると共に、段差部４ｃを他のバンド駒３の凸部６の側面に押し当て、この状態で大径筒部４ｂの外端部が凹部７の両側部７ａの外部側に突出するように構成されている。
【００２０】
このため、この緩衝筒４は、図４に示すように、大径筒部４ｂの内端部が凹部７内に突出して、段差部４ｃを他のバンド駒３の凸部６の側面に押し当てた際に、バンド駒３の凸部６と他のバンド駒３の凹部７との間に隙間を設けた状態で、バンド駒３の凸部６と他のバンド駒３における凹部７の両側部７ａとを仮固定するように構成されている。
【００２１】
連結ピン５は、図４および図５に示すように、金属製の棒状部材であり、一対の緩衝筒４内に挿入されて、バンド駒３の凸部６とこの凸部６が配置された他のバンド駒３の凹部７の両側部７ａとを回転可能な状態で連結するように構成されている。すなわち、この連結ピン５は、その外径が緩衝筒４の内径とほぼ同じ大きさで、軸方向の長さがバンド駒３の凹部７の両側部７ａにおける外端面間の長さよりも少し長く形成されている。
【００２２】
これにより、連結ピン５は、図４および図５に示すように、一対の緩衝筒４がバンド駒３の第１駒連結孔８と他のバンド駒３の第２駒連結孔９とに挿入された状態で、一対の緩衝筒４内に挿入された際に、連結ピン５の両端部が一対の緩衝筒４の両端部内に配置されて、バンド駒３の凸部６と他のバンド駒３の凹部７の両側部７ａとに接触することなく、バンド駒３の凸部６とこれに隣接する他のバンド駒３の凹部７の両側部７ａとを回転可能な状態で連結するように構成されている。
【００２３】
ところで、このバンド駒３の両側部には、図５および図６に示すように、一対のバンド保護部材１０がねじ部材１１によって取り付けられている。この場合、バンド駒３には、ねじ部材１１が挿入する取付孔１４が凸部６と凹部７との間に位置した状態で、バンド駒３の連結方向と直交する幅方向に貫通して設けられている。一対のバンド保護部材１０は、カーボン樹脂などの軽くて剛性の高い材料によってバンド駒３の両側の端面と同じ形状で形成されている。
【００２４】
これら一対のバンド保護部材１０には、図６に示すように、それぞれ座ぐり孔１０ａがバンド駒３の取付孔１４と同一軸上に対応して設けられている。また、これら一対のバンド保護部材１０の各対向面には、図４に示すように、バンド駒３の凹部７の両側部７ａから突出した一対の緩衝筒４の各端部が挿入する係止穴１０ｂがそれぞれ貫通することなく凹部形状に設けられている。
【００２５】
ねじ部材１１は、図６に示すように、雌ねじ部１２と雄ねじ部１３とを備えている。雌ねじ部１２は、頭部１２ａと軸部１２ｂとこの軸部１２ｂの端部に設けられたねじ穴１２ｃとを備えている。この雌ねじ部１２は、頭部１２ａが一方のバンド保護部材１０の座ぐり孔１０ａに挿入されて配置された状態で、軸部１２ｂがバンド駒３の取付孔１４に挿入されるように構成されている。
【００２６】
雄ねじ部１３は、図６に示すように、頭部１３ａとねじ部１３ｂとを備えている。この雄ねじ部１３は、頭部１３ａが他方のバンド保護部材１０の座ぐり孔１０ａに挿入されて配置された状態で、ねじ部１３ｂがバンド駒３の取付孔１４に挿入されて、雌ねじ部１２の軸部１２ｂの端部に設けられたねじ穴１２ｃに螺合するように構成されている。
【００２７】
この場合、バンド駒３の取付孔１４は、図６に示すように、その内径が雌ねじ部１２の軸部１２ｂの外径よりも大きく形成されている。また、バンド保護部材１０の座ぐり孔１０ａは、雌ねじ部１２の頭部１２ａと雄ねじ部１３の頭部１３ａとが配置される大径部と、雌ねじ部１２の軸部１２ｂと雄ねじ部１３のねじ部１３ｂとが挿入する小径部と、を備えている。この座ぐり孔１０ａの小径部は、その内径がバンド駒３の取付孔１４の内径よりも小さく形成されている。
【００２８】
これにより、ねじ部材１１は、図６に示すように、雌ねじ部１２の軸部１２ｂが一方のバンド保護部材１０の座ぐり孔１０ａからバンド駒３の取付孔１４に挿入されて、雌ねじ部１２の頭部１２ａがバンド保護部材１０の座ぐり孔１０ａに配置された際に、バンド駒３の取付孔１４に雌ねじ部１２の軸部１２ｂが接触しないように構成されている。
【００２９】
また、このねじ部材１１は、図６に示すように、雌ねじ部１２の頭部１２ａがバンド保護部材１０の座ぐり孔１０ａに配置された状態で、雄ねじ部１３のねじ部１３ｂが、他方のバンド保護部材１０の座ぐり孔１０ａからバンド駒３の取付孔１４に挿入されて、雌ねじ部１２の軸部１２ｂのねじ穴１２ｃに螺合した際に、バンド駒３の取付孔１４に雄ねじ部１３のねじ部１３ｂが接触しないように構成されている。
【００３０】
これにより、ねじ部材１１は、図６に示すように、雄ねじ部１３のねじ部１３ｂを雌ねじ部１２の軸部１２ｂのねじ穴１２ｃに螺合させて、雌ねじ部１２と雄ねじ部１３とを締め付けると、雌ねじ部１２の頭部１２ａが一方のバンド保護部材１０の座ぐり孔１０ａに配置され、雄ねじ部１３の頭部１３ａが他方のバンド保護部材１０の座ぐり孔１０ａに配置されて、一対のバンド保護部材１０をバンド駒３の両側面に押し当てるように構成されている。
【００３１】
この場合、一対のバンド保護部材１０は、図４および図６に示すように、バンド駒３の両側部に配置された際に、バンド駒３の凹部７の両側部７ａから突出した一対の緩衝筒４の各端部が各係止穴１０ｂに挿入されることにより、ねじ部材１１を中心に一対のバンド保護部材１０が回転しないように構成されている。また、ねじ部材１１は、雌ねじ部１２の軸部１２ｂがバンド駒３の取付孔１４に挿入された際に、バンド駒３に接触しないように構成されている。
【００３２】
一方、バンド２は、図１および図２に示すように、腕時計ケース１の１２時側と６時側との各側部にそれぞれ設けられたバンド取付部１５に取り付けられている。この場合、腕時計ケース１の２時側、４時側、８時側、および１０時側の４箇所の側には、スイッチ部１６がそれぞれ設けられている。
【００３３】
この腕時計ケース１は、図８に示すように、サファイア、ガラス、セラミックなどの硬い脆性材料のケース本体１７と、このケース本体１７の１時側、５時側、７時側、および１１時側の４箇所に位置する上面および側面に配置された複数の第１ケース保護部材１８と、ケース本体１７の３時側と９時側の各側部に配置された一対の第２ケース保護部材１９と、を備えている。
【００３４】
ケース本体１７の上部開口部には、図１、図２および図８に示すように、時計ガラス２０が取り付けられている。このケース本体１７の下部には、裏蓋２１が取り付けられている。また、このケース本体１７の各バンド取付部１５には、バンド２の端部に位置するバンド駒３の凸部６が配置される凹部２２が設けられている。この凹部２２の両側部２２ａには、図７に示すように、それぞれケース連結孔２３が凹部２２内に配置されたバンド駒３の凸部６の第１駒連結孔８と同一軸上に対応して設けられている。
【００３５】
このケース連結孔２３は、図７に示すように、その内径がバンド駒３の凸部６の第１駒連結孔８の内径よりも大きく形成される。これにより、バンド取付部１５のケース連結孔２３は、その内部に緩衝筒４の大径筒部４ｂが挿入されて配置されるように構成されている。この場合にも、緩衝筒４の大径筒部４ｂは、その軸方向の長さがバンド取付部１５の凹部２２の両側部２２ａに設けられたケース連結孔２３の軸方向の長さよりも長く形成されている。
【００３６】
すなわち、緩衝筒４は、図７に示すように、大径筒部４ｂをバンド取付部１５の凹部２２における両側部２２ａのケース連結孔２３に挿入させた際に、大径筒部４ｂの内端部が凹部２２内に突出して、小径筒部４ａをバンド駒３の凸部６の第１駒連結孔８に挿入させると共に、段差部４ｃをバンド駒３の凸部６の側面に押し当て、この状態で大径筒部４ｂの外端部がバンド取付部１５の凹部２２における両側部２２ａの外部側に突出するように構成されている。
【００３７】
これにより、この緩衝筒４は、図７に示すように、大径筒部４ｂの内端部が凹部２２内に突出して、段差部４ｃをバンド駒３の凸部６の側面に押し当てた際に、バンド駒３の凸部６とバンド取付部１５の凹部２２との間に隙間を設けた状態で、バンド駒３の凸部６とバンド取付部１５における凹部２２の両側部２２ａとを仮固定するように構成されている。
【００３８】
また、この緩衝筒４は、図７および図８に示すように、連結ピン５が挿入されることにより、バンド駒３の凸部６とバンド取付部１５の凹部２２の両側部２２ａとを回転可能な状態で連結するように構成されている。すなわち、連結ピン５は、バンド駒３と同様、その外径が緩衝筒４の内径とほぼ同じ大きさで、軸方向の長さがバンド取付部１５の凹部２２の両側部２２ａにおける外端面の長さよりも少し長く形成されている。
【００３９】
これにより、連結ピン５は、図７および図８に示すように、一対の緩衝筒４がバンド取付部１５のケース連結孔２３とバンド駒３の第１駒連結孔８とに挿入された状態で、一対の緩衝筒４内に挿入された際に、連結ピン５の両端部が一対の緩衝筒４の両端部内に配置されるように構成されている。
【００４０】
また、この連結ピン５は、図７および図８に示すように、その両端部が一対の緩衝筒４の両端部内に配置された際に、バンド取付部１５の凹部２２の両側部２２ａとバンド駒３の凸部６とに接触することなく、バンド取付部１５の凹部２２の両側部２２ａにバンド駒３の凸部６を回転可能な状態で連結するように構成されている。
【００４１】
一方、第１、第２ケース保護部材１８、１９は、図１、図２および図８に示すように、バンド保護部材１０と同様、カーボン樹脂などの軽くて剛性の高い材料で形成されている。一対の第２ケース保護部材１９は、ケース本体１７の１２時側に位置するバンド取付部１５の一側部からケース本体１７の６時側に位置するバンド取付部１５の一側部に亘って、ケース本体１７の３時側と９時側との両側にそれぞれ配置されるように構成されている。
【００４２】
この場合、３時側に位置する第２ケース保護部材１９は、図８に示すように、ケース本体１７の３時位置するビス２４（図２参照）によってケース本体１７の３時側の側部に取り付けられている。この３時側の第２ケース保護部材１９の２時側と４時側とには、貫通孔（図示せず）がスイッチ部１６にそれぞれ対して設けられている。
【００４３】
同様に、９時側に位置する第２ケース保護部材１９は、図８に示すように、ケース本体１７の９時位置するビス２４（図２参照）によってケース本体１７の９時側の側部に取り付けられている。この９時側の第２ケース保護部材１９の８時側と１０時側とには、貫通孔（図示せず）がスイッチ部１６にそれぞれ対して設けられている。
【００４４】
また、これら一対の第２ケース保護部材１９には、図７および図８に示すように、バンド取付部１５の両側部から突出した一対の緩衝筒４の各端部が挿入する係止穴２５がそれぞれ設けられている。これら係止穴２５は、緩衝筒４の大径筒部４ｂの端部が挿入されていることにより、バンド取付部１５の側部に第２ケース保護部材１９がビス２４によって取り付けられた状態で、ビス２４を中心に第２ケース保護部材１９が回転しないように構成されている。
【００４５】
次に、このような腕時計におけるバンド２の作用について説明する。
このバンド２を組み立てる場合には、まず、バンド駒３の凸部６を他のバンド駒３の凹部７に配置し、凸部６の第１駒連結孔８と凹部７の両側部７ａの各第２駒連結孔９とを同一軸上に対応させる。この状態で、凹部７の両側部７ａの各第２駒連結孔９それぞれに緩衝筒４を挿入させる。
【００４６】
このときには、緩衝筒４の大径筒部４ｂの内端部を凹部７の両側部７ａの第２駒連結孔９から凹部７内に突出させる。すると、緩衝筒４の小径筒部４ａが凸部６の第１駒連結孔８に挿入されて、緩衝筒４の段差部４ｃが凸部６の側面に押し当てられる。このときには、緩衝筒４の大径筒部４ｂが凹部７の両側部７ａの第２駒連結孔９内に嵌め込まれて、大径筒部４ｂの外端部が凹部７の両側部７ａから外部に突出する。
【００４７】
この状態では、凸部６の両側面とこれに対向する凹部７内の両側面との間に、緩衝筒４の段差部４ｃによって僅かな隙間が設けられると共に、凸部６の先端面とこれに対応する凹部７内の内端面との間にも僅かな隙間が設けられる。このため、凸部６と凹部７とが接触することなく、凸部６と凹部７の両側部７ａとが緩衝筒４によって仮固定される。
【００４８】
そして、一対の緩衝筒４内に連結ピン５を挿入させて、連結ピン５の両端部を一対の緩衝筒４の各大径筒部４ｂの端部内に配置させる。この状態では、金属製の連結ピン５が凸部６と凹部７の両側部７ａとに接触することがなく配置される。これにより、バンド駒３の凸部６とこれに隣接する他のバンド駒３の凹部７の両側部７ａとが連結ピン５によって回転可能な状態で連結されることにより、バンド駒３とこれに隣接する他のバンド駒３とが連結される。このようにして、複数のバンド駒３を順次連結する。
【００４９】
そして、複数のバンド駒３の各両側に一対のバンド保護部材１０をそれぞれ配置させてねじ部材１１によって取り付ける。このときには、バンド保護部材１０の対向面に設けられた係止穴１０ｂに凹部７の両側部７ａから突出した緩衝筒４の外端部を挿入させて、バンド保護部材１０の座ぐり孔１０ａをバンド駒３の取付孔１４に同一軸上に対応させる。
【００５０】
この状態で、ねじ部材１１の雌ねじ部１２の軸部１２ｂを一方のバンド保護部材１０の座ぐり孔１０ａからバンド駒３の取付孔１４に挿入させる。そして、雄ねじ部１３のねじ部１３ｂを他方のバンド保護部材１０の座ぐり孔１０ａからバンド駒３の取付孔１４に挿入させて、雌ねじ部１２の軸部１２ｂの端部に設けられたねじ穴１２ｃに螺合させ、この状態で雌ねじ部１２と雄ねじ部１３とを締め付ける。
【００５１】
すると、雌ねじ部１２の頭部１２ａと雄ねじ部１３の頭部１３ａとが一対のバンド保護部材１０の各座ぐり孔１０ａ内に配置されて、一対のバンド保護部材１０がバンド駒３の両側に押し付けられて固定される。この状態では、バンド保護部材１０の係止穴１０ｂに緩衝筒４の外端部が挿入されているので、ねじ部材１１を中心にバンド保護部材１０が回転することがない。これにより、バンド２が組み立てられる。
【００５２】
このバンド２を腕時計ケース１に取り付ける場合には、まず、ケース本体１７のバンド取付部１５の凹部２２にバンド２の一端部に位置するバンド駒３の凸部６を配置する。このときには、バンド駒３の凸部６に設けられた第１駒連結孔８とバンド取付部１５の凹部２２の両側部２２ａに設けられたケース連結孔２３とを同一軸上に対応させる。
【００５３】
この状態で、バンド取付部１５の凹部２２の両側部２２ａに設けられた各ケース連結孔２３それぞれに緩衝筒４を挿入させる。このときには、緩衝筒４の大径筒部４ｂの内端部をバンド取付部１５の凹部２２の両側部２２ａにおけるケース連結孔２３からバンド取付部１５の凹部２２内に突出させる。
【００５４】
すると、緩衝筒４の小径筒部４ａがバンド駒３の凸部６の第１駒連結孔８に挿入されて、緩衝筒４の段差部４ｃが凸部６の側面に押し当てられる。このときには、緩衝筒４の大径筒部４ｂがバンド取付部１５の凹部２２の両側部２２ａのケース連結孔２３内に嵌め込まれて、大径筒部４ｂの外端部が凹部２２の両側部２２ａから外部に突出する。
【００５５】
この状態では、バンド駒３の凸部６の両側面とこれに対向するバンド取付部１５の凹部２２内の両側面とが緩衝筒４の段差部４ｃによって隙間を持って非接触状態で配置されると共に、凸部６の先端面とこれに対応する凹部２２内の内端面との間に僅かな隙間が設けられる。このため、凸部６と凹部２２とが接触することがなく、バンド駒３の凸部６とバンド取付部１５の凹部２２の両側部２２ａとが緩衝筒４によって仮固定される。
【００５６】
この状態で、一対の緩衝筒４内に連結ピン５を挿入させて、連結ピン５の両端部を一対の緩衝筒４の各大径筒部４ｂの端部内に配置させる。この状態では、金属製の連結ピン５がバンド駒３の凸部６とバンド取付部１５の凹部２２の両側部２２ａとに接触することがなく配置される。これにより、バンド駒３の凸部６とバンド取付部１５の凹部２２の両側部２２ａとが連結ピン５によって回転可能に連結されることにより、バンド駒３がケース本体１７のバンド取付部１５に回転可能な状態で連結される。
【００５７】
そして、ケース本体１７の３時側と９時側との各側部に一対の第２ケース保護部材１９をそれぞれ配置してビス２４によって取り付ける。このときには、一対の第２ケース保護部材１９に設けられた各係止穴２５にバンド取付部１５の両側部から突出した一対の緩衝筒４の各端部をそれぞれ挿入させて、一対の第２ケース保護部材１９をバンド取付部１５の両側に配置する。
【００５８】
この状態で、一対の第２ケース保護部材１９をビス２４によってケース本体１７の３時側と９時側とに取り付ける。このときには、第２ケース保護部材１９の係止穴２５に緩衝筒４の端部が挿入されていることにより、バンド取付部１５の側部に第２ケース保護部材１９がビス２４によって取り付けられた状態で、ビス２４を中心に第２ケース保護部材１９が回転することがない。
【００５９】
このように組み立てられた腕時計のバンド２では、バンド駒３がサファイア、ガラス、セラミックなどの硬い脆性材料で形成されてことにより、カラー化が可能になるため、装飾性および色彩性が高く、かつバンド保護部材１０を除く箇所のバンド駒３が露出していることにより、デザイン性に優れ、商品価値の高いものが得られる。
【００６０】
また、この腕時計のバンド２では、バンド駒３がサファイア、ガラス、セラミックなどの硬い脆性材料で形成されていても、バンド駒３の凸部６とこれに隣接する他のバンド駒３の凹部７とが緩衝筒４の段差部４ｃによって僅かな隙間を持って非接触状態で配置されていることにより、落下などによる衝撃を受けた際に、バンド駒３の凸部６とこれに隣接する他のバンド駒３の凹部７とが相互に当接することがない。このため、衝撃によってバンド駒３の凸部６とこれに隣接する他のバンド駒３の凹部７との破損を防ぐことができる。
【００６１】
この場合、バンド駒３の凸部６とこれに隣接するバンド駒３の凹部７とを連結する金属製の連結ピン５は、バンド駒３の凸部６の第１駒連結孔８と隣接する他のバンド駒３における凹部７の両側部７ａの第２駒連結孔９とに挿入された緩衝筒４内に挿入されて、バンド駒３の凸部６とこれに隣接する他のバンド駒３の凹部７とに接触することなく配置されているので、バンド２が落下などによる衝撃を受けた際に、バンド駒３の凸部６とこれに隣接する他のバンド駒３の凹部７の両側部７ａとが連結ピン５によって破損することがない。
【００６２】
また、バンド駒３の側部には、カーボン樹脂などの軽くて剛性の高い材料のバンド保護部材１０が取り付けられているので、バンド駒３の側部が落下などによる衝撃を受けても、その衝撃をバンド保護部材１０で受け止めることができるので、バンド駒３の側部の縁部が割れたり欠けたりすることがなく、バンド保護部材１０によってバンド駒３の側部を確実にかつ良好に保護することができる。また、バンド２の長手方向においてもバンド保護部材１０とバンド保護部材１０とが接触することでバンド駒３とバンド駒３とが接触することなく破損することがない。
【００６３】
一方、バンド２が取り付けられた腕時計ケース１では、ケース本体１７およびバンド取付部１５がサファイア、ガラス、セラミックなどの硬い脆性材料で形成されていても、バンド駒３の凸部６とバンド取付部１５の凹部２２とが緩衝筒４の段差部４ｃによって僅かな隙間を持って非接触状態で配置されていることにより、落下などによる衝撃を受けた際に、バンド駒３の凸部６とバンド取付部１５の凹部２２とが相互に当接することがない。このため、衝撃によるバンド駒３の凸部６とバンド取付部１５の凹部２２との破損を防ぐことができる。
【００６４】
この場合、バンド駒３の凸部６とバンド取付部１５の凹部２２とを連結する金属製の連結ピン５は、バンド駒３の凸部６の第１駒連結孔８とバンド取付部１５における凹部２２の両側部２２ａのケース連結孔２３とに挿入された緩衝筒４内に挿入されて、バンド駒３の凸部６とバンド取付部１５の凹部２２とに接触することなく配置されている。このため、バンド２が落下などによる衝撃を受けた際に、バンド駒３の凸部６とバンド取付部１５の凹部２２の両側部２２ａとが連結ピン５によって破損することがない。
【００６５】
また、バンド取付部１５の側部には、カーボン樹脂などの軽くて剛性の高い材料の第２ケース保護部材１９が取り付けられているので、バンド取付部１５の側部が落下などによる衝撃を受けても、その衝撃を第２ケース保護部材１９で受け止めることができる。このため、バンド取付部１５の縁部が割れたり欠けたりすることがなく、第２ケース保護部材１９によってバンド取付部１５の側部を確実にかつ良好に保護することができる。
【００６６】
この場合、ケース本体１７は、３時側と９時側とに第２ケース保護部材１９が配置されているので、ケース本体１７が側方から衝撃を受けた際にも、その衝撃を第２ケース保護部材１９で受け止めることができる。このため、ケース本体１７の側部が割れたり欠けたりすることがなく、第２ケース保護部材１９でケース本体１７の側部を確実にかつ良好に保護することができる。
【００６７】
このように、この腕時計のバンド２によれば、一端部に凸部６が設けられ、他端部に凸部６と対応する大きさの凹部７が設けられた脆性材料の複数のバンド駒３と、これらのバンド駒３の凸部６に設けられた第１駒連結孔８と凸部６が配置される他のバンド駒３の凹部７の両側部７ａに設けられた第２駒連結孔９とに挿入されて、バンド駒３の凸部６と他のバンド駒３の凹部７とを非接触状態で固定する緩衝筒４と、この緩衝筒４内に挿入されてバンド駒３と他のバンド駒３とを連結する連結ピン５と、を備えていることにより、バンド駒３を脆性材料で形成しても、衝撃によるバンド駒３の破損を防ぐことができる。
【００６８】
すなわち、この腕時計のバンド２では、緩衝筒４によってバンド駒３の凸部６と他のバンド駒３の凹部７とが接触することなく配置されているので、バンド駒３を脆性材料で形成しても、バンド駒３が落下などの衝撃を受けた際に、その衝撃によってバンド駒３の凸部６と他のバンド駒３の凹部７との相互の当接による破損を確実にかつ良好に防ぐことができる。
【００６９】
また、この腕時計のバンド２では、連結ピン５が緩衝筒４内に挿入されてバンド駒３の凸部６と他のバンド駒３の凹部７の両側部７ａとを連結しているので、バンド駒３を脆性材料で形成しても、バンド駒３が落下などの衝撃を受けた際に、その衝撃によって連結ピン５がバンド駒３の凸部６と他のバンド駒３の凹部７の両側部７ａとに当接することがないため、連結ピン５によるバンド駒３の凸部６と他のバンド駒３の凹部７の両側部７ａとの破損を確実にかつ良好に防ぐことができる。
【００７０】
この場合、この腕時計のバンド２では、バンド駒３の第１駒連結孔８の内径と他のバンド駒３の第２駒連結孔９の内径とが異なり、緩衝筒４には、第１駒連結孔８と第２駒連結孔９との境界部に凸部６と凹部７との接触を防ぐための段差部４ｃが設けられていることにより、緩衝筒４が凸部６の第１駒連結孔８と凹部７の両側部７ａの第２駒連結孔９とに挿入された際に、緩衝筒４の段差部４ｃによって凸部６と凹部７との間に僅かな隙間を確実に設けることができる。
【００７１】
すなわち、この腕時計のバンド２では、バンド駒３の第１駒連結孔８の内径が他のバンド駒３の第２駒連結孔９の内径よりも小さく形成され、緩衝筒４が、第１駒連結孔８に挿入する小径筒部４ａと、第２駒連結孔９に挿入する大径筒部４ｂと、小径筒部４ａと大径筒部４ｂとの境界部に設けられた段差部４ｃと、を備えていることにより、緩衝筒４の大径筒部４ｂを第２駒連結孔９に挿入させて、緩衝筒４の小径筒部４ａを第１駒連結孔８に挿入させると、緩衝筒４の段差部４ｃをバンド駒３の凸部６の側部に確実に押し当てることができる。
【００７２】
このため、この腕時計のバンド２では、緩衝筒４の段差部４ｃによって凸部６と凹部７との間に僅かな隙間を確実に設けることができるので、バンド駒３が落下などの衝撃を受けた際に、その衝撃によってバンド駒３の凸部６と他のバンド駒３の凹部７の両側部７ａとが相互に当接することがないため、衝撃によるバンド駒３の凸部６と他のバンド駒３の凹部７の両側部７ａとの破損を確実にかつ良好に防ぐことができる。
【００７３】
また、この腕時計のバンド２では、バンド駒３の両側部に一対のバンド保護部材１０が取り付けられていることにより、バンド駒３が落下などの衝撃を側方から受けた際に、その衝撃を一対のバンド保護部材１０によって受け止めることができるので、バンド駒３の両側部の割れや欠けを確実にかつ良好に防ぐことができる。
【００７４】
この場合、一対のバンド保護部材１０は、ねじ部材１１が挿入する座ぐり孔１０ａがそれぞれ設けられ、一方の座ぐり孔１０ａを通してねじ部材１１の雌ねじ部１２がバンド駒３に設けられた取付孔１４に挿入され、他方の座ぐり孔１０ａを通してねじ部材１１の雄ねじ部１３がバンド駒３の取付孔１４に挿入されて雌ねじ部１２の軸部１２ｂのねじ穴１２ｃに螺合することにより、バンド駒３の両側にバンド保護部材１０を確実にかつ良好に取り付けることができる。
【００７５】
すなわち、バンド保護部材１０の座ぐり孔１０ａは、雌ねじ部１２の頭部１２ａと雄ねじ部１３の頭部１３ａとが配置される大径部と、雌ねじ部１２の軸部１２ｂと雄ねじ部１３のねじ部１３ｂとが挿入する小径部とを備え、この小径部の内径がバンド駒３の取付孔１４の内径よりも小さいので、取付孔１４内に挿入された雌ねじ部１２の軸部１２ｂと雄ねじ部１３のねじ部１３ｂとをバンド駒３に接触させないようにすることができる。
【００７６】
このため、このバンド２では、バンド駒３を脆性材料で形成しても、ねじ部材１１がバンド駒３に接触することがないので、バンド駒３が落下などの衝撃を受けた際に、その衝撃によってねじ部材１１がバンド駒３に当接することがないため、ねじ部材１１によるバンド駒３の破損を確実にかつ良好に防ぐことができる。
【００７７】
このように、この腕時計のバンド２では、バンド駒３が衝撃によって破損することがないので、バンド駒３をサファイア、ガラス、セラミックなどの硬い脆性材料で形成して、カラー化を図ることができ、これにより装飾性および色彩性を高めることができると共に、デザイン性が高く、商品価値の高いものを提供することができる。
【００７８】
また、この腕時計のバンド２によれば、一端部に凸部６が設けられた脆性材料のバンド駒３と、このバンド駒３の凸部６が配置される凹部２２が設けられた脆性材料のバンド取付部１５と、バンド駒３の凸部６に設けられた第１駒連結孔８とバンド取付部１５の凹部２２の両側部２２ａに設けられたケース連結孔２３とに挿入されて、バンド駒３の凸部６とバンド取付部１５の凹部２２とを非接触状態で固定する緩衝筒４と、この緩衝筒４内に挿入されてバンド駒３とバンド取付部１５とを連結する連結ピン５と、を備えていることにより、バンド駒３およびバンド取付部１５を脆性材料で形成しても、衝撃による破損を防ぐことができる。
【００７９】
すなわち、この腕時計のバンド２では、緩衝筒４によってバンド駒３の凸部６とバンド取付部１５の凹部２２とが接触することなく配置されているので、バンド駒３およびバンド取付部１５を脆性材料で形成しても、落下などの衝撃によってバンド駒３の凸部６とバンド取付部１５の凹部２２との相互の当接による破損を確実にかつ良好に防ぐことができる。
【００８０】
また、この腕時計のバンド２では、連結ピン５が緩衝筒４の内部に挿入されてバンド駒３の凸部６とバンド取付部１５の凹部２２の両側部２２ａとを連結しているので、バンド駒３およびバンド取付部１５を脆性材料で形成しても、落下などの衝撃によって連結ピン５がバンド駒３の凸部６とバンド取付部１５の凹部２２の両側部２２ａとに当接することがないため、連結ピン５によるバンド駒３の凸部６とバンド取付部１５の凹部２２の両側部２２ａとの破損を確実にかつ良好に防ぐことができる。
【００８１】
この場合、この腕時計のバンド２では、バンド駒３の第１駒連結孔８の内径とバンド取付部１５のケース連結孔２３の内径とが異なり、緩衝筒４には、第１駒連結孔８とケース連結孔２３との境界部にバンド駒３の凸部６とバンド取付部１５の凹部２２との接触を防ぐための段差部４ｃが設けられていることにより、緩衝筒４がバンド駒３の凸部６の第１駒連結孔８とバンド取付部１５の凹部２２の両側部２２ａのケース連結孔２３とに挿入された際に、緩衝筒４の段差部４ｃによって凸部６と凹部２２との間に僅かな隙間を確実に設けることができる。
【００８２】
すなわち、この腕時計のバンド２では、バンド駒３の第１駒連結孔８の内径がバンド取付部１５のケース連結孔２３の内径よりも小さく形成され、緩衝筒４が、第１駒連結孔８に挿入する小径筒部４ａと、ケース連結孔２３に挿入する大径筒部４ｂと、小径筒部４ａと大径筒部４ｂとの境界部に設けられた段差部４ｃと、を備えていることにより、緩衝筒４の大径筒部４ｂをケース連結孔２３に挿入させて、緩衝筒４の小径筒部４ａを第１駒連結孔８に挿入させると、緩衝筒４の段差部４ｃをバンド駒３の凸部６の側部に確実に押し当てることができる。
【００８３】
このため、この腕時計のバンド２では、緩衝筒４の段差部４ｃによってバンド駒３の凸部６とバンド取付部１５の凹部２２との間に僅かな隙間を確実に設けることができるので、落下などの衝撃によってバンド駒３の凸部６とバンド取付部１５の凹部２２の両側部２２ａとが相互に当接することがないため、衝撃によるバンド駒３の凸部６とバンド取付部１５の凹部２２の両側部２２ａとの破損を確実にかつ良好に防ぐことができる。
【００８４】
また、この腕時計のバンド２では、バンド取付部１５の両側部に一対の第２ケース保護部材１９が取り付けられていることにより、バンド取付部１５が落下などの衝撃を側方から受けた際に、その衝撃を一対の第２ケース保護部材１９によって受け止めることができるので、バンド取付部１５の両側部の割れや欠けを確実にかつ良好に防ぐことができる。
【００８５】
このように、この腕時計のバンド２では、バンド取付部１５が衝撃によって破損することがないので、バンド取付部１５およびケース本体１７をサファイア、ガラス、セラミックなどの硬い脆性材料で一体に形成することができると共に、これらバンド取付部１５およびケース本体１７のカラー化を図ることができ、これにより装飾性および色彩性を高めることができると共に、デザイン性が高く、商品価値の高いものを提供することができる。
【００８６】
なお、上述した第１実施形態では、連結ピン５が単純な棒状である場合について述べたが、この発明は、これに限らず、例えば図９に示された変形例のように、連結ねじ部材３０を用いても良い。すなわち、図９に示された変形例の緩衝筒４は、バンド駒３の外部側に位置する端部に座ぐり孔４ｄを設けた構造になっている。
【００８７】
連結ねじ部材３０は、図９に示すように、雌ねじ部３１と雄ねじ部３２とを備えている。雌ねじ部３１は、頭部３１ａと軸部３１ｂとこの軸部３１ｂの端部に設けられたねじ穴３１ｃとを備えている。この雌ねじ部３１は、頭部３１ａが一方の緩衝筒４の座ぐり孔４ｄに挿入されて配置された状態で、軸部３１ｂが緩衝筒４を通してバンド駒３の凸部６の第１駒連結孔８に挿入されるように構成されている。
【００８８】
雄ねじ部３２は、図９に示すように、頭部３２ａとねじ部３２ｂとを備えている。この雄ねじ部３２は、頭部３２ａが他方の緩衝筒４の座ぐり孔４ｄに挿入されて配置された状態で、ねじ部３２ｂが緩衝筒４を通してバンド駒３の凸部６の第１駒連結孔８に挿入されて、雌ねじ部３１の軸部３１ｂの端部に設けられたねじ穴３１ｃに螺合するように構成されている。
【００８９】
これにより、連結ねじ部材３０は、図９に示すように、雌ねじ部３１の軸部３１ｂが一方の緩衝筒４の座ぐり孔４ｄからバンド駒３の凸部６の第１駒連結孔８に挿入されて、雄ねじ部３２のねじ部３２ｂが、他方の緩衝筒４の座ぐり孔４ｄからバンド駒３の凸部６の第１駒連結孔８に挿入されて、雌ねじ部３１の軸部３１ｂのねじ穴３１ｃに螺合した際に、雌ねじ部３１と雄ねじ部３２とがバンド駒３に接触しないように構成されている。
【００９０】
このため、このバンド２では、雌ねじ部３１の軸部３１ｂのねじ穴３１ｃに雄ねじ部３２のねじ部３２ｂが螺合して締め付けられることにより、雌ねじ部３１の頭部３１ａと雄ねじ部３２の頭部３２ａとによって一対の緩衝筒４を軸方向に挟み付けることができるので、一対の緩衝筒４の各段差部４ｃをバンド駒３の凸部６の両側面に確実にかつ良好に押し付けることができ、これによりバンド駒３の凸部６とこれに隣接する他のバンド駒３の凹部７との間に確実に隙間を設けることができる。なお、図９に示すように、連結ねじ部材３０を用いた場合は、バンド駒３の凸部６とバンド取付部１５の凹部２２との連結においても同様に構成できる。
【００９１】
また、上述した第１実施形態では、緩衝筒４の段差部４ｃによってバンド駒３の凸部６と他のバンド駒３の凹部７またはバンド取付部１５の凹部２２との間に隙間を確実に設けることができるようにしたが、例えば、他のバンド駒３の凹部７またはバンド取付部１５の凹部２２に溝など切り欠き部を設けて、そこに弾性体で形成されたＯリングやワッシャー形状の緩衝部材を配置し、緩衝筒４が挿入されて、緩衝筒４の外周部に緩衝部材が配置される構成にしても良い。
【００９２】
緩衝筒４の段差部４ｃに加えて緩衝部材を設けることで、落下など外部から衝撃を受けた際に、バンド駒３の凸部６と他のバンド駒３の凹部７またはバンド取付部１５の凹部２２とが相互に当接することがなく、隙間をより確実に設けることができ、破損を防ぐことができる。
【００９３】
また、緩衝部材は、バンド駒３の凸部６に溝など切り欠き部を設けて配置するようにしても良い。また、弾性体で形成されたＯリングやワッシャー形状の緩衝部材を設ける場合は、第１駒連結孔８と第２駒連結孔９またはケース連結孔２３との内径は同じ径とし、緩衝筒４は、小径筒部４ａと大径筒部４ｂとの境界部に設けられた段差部４ｃと、を備えずに同じ径の筒部で構成されても良い。
【００９４】
（第２実施形態）
次に、図１０〜図１２を参照して、この発明を腕時計のバンドに適用した第２実施形態について説明する。なお、図１〜図８に示された第１実施形態と同一部分には同一符号を付して説明する。
この腕時計のバンド２は、図１０および図１１に示すように、バンド駒３の凸部６とこれに隣接する他のバンド駒３の凹部７との接触を防ぐための一対の緩衝部材３５が第１実施形態と異なる構造で、これ以外は第１実施形態とほぼ同じ構造になっている。
【００９５】
すなわち、一対の緩衝部材３５それぞれは、図１０および図１１に示すように、バンド駒３の凸部６の側面とこれに隣接する他のバンド駒３の凹部７の内側面との間に配置される第１緩衝部３６と、凹部７の両側部７ａに設けられた第２駒連結孔９内に挿入されて連結ピン５が挿入する筒状の第２緩衝部３７と、を備えている。この緩衝部材３５は、カーボン樹脂、強化プラスチックなどの軽くて剛性の高い材料で、第１緩衝部３６と第２緩衝部３７とが一体に形成されている。
【００９６】
この場合、バンド駒３の凹部７の両側部７ａに設けられた第２駒連結孔９は、第１実施形態と同様、バンド駒３の凸部６に設けられた第１駒連結孔８よりも内径が大きく形成されている。第１緩衝部３６は、図１１および図１２に示すように、ワッシャー形状に形成され、筒状の第２緩衝部３７の一端部、つまりバンド駒３の凹部７の内部側に位置する内端部に設けられている。この第１緩衝部３６は、外径がバンド駒３の凹部７の第２駒連結孔９の内径よりも大きく、かつバンド駒３の厚みよりも小さい大きさに形成されている。
【００９７】
第２緩衝部３７は、図１１および図１２に示すように、外径がバンド駒３の凹部７の両側部７ａに設けられた第２駒連結孔９の内径とほぼ同じ大きさで、内径がバンド駒３の凸部６の第１駒連結孔８の内径とほぼ同じ大きさに形成されている。また、この第２緩衝部３７は、その軸方向の長さがバンド駒３の凹部７の第２駒連結孔９における軸方向の長さよりも少し短く形成されている。
【００９８】
これにより、一対の緩衝部材３５は、図１１および図１２に示すように、第２緩衝部３７がバンド駒３の凹部７の内部側からバンド駒３の凹部７の第２駒連結孔９内にそれぞれ挿入された際に、第１緩衝部３６がバンド駒３の凹部７内の各内側面にそれぞれ当接するように構成されている。この場合、一対の緩衝部材３５それぞれは、第１緩衝部３６に対して反対側の第２緩衝部３７の外端部が第２駒連結孔９から外部に突出すことなく、第２駒連結孔９内に配置されるように構成されている。
【００９９】
ところで、バンド駒３同士を連結する連結ピン５は、図１１に示すように、金属製の棒状部材であり、外周に緩衝筒３８が設けられ、この緩衝筒３８と共にバンド駒３の凹部７の第２駒連結孔９に挿入された緩衝部材３５の第２緩衝部３７内とバンド駒３の凸部６の第１駒連結孔８内とに挿入されることにより、連結ピン５を中心にバンド駒３同士を回転可能な状態で連結するように構成されている。
【０１００】
この場合、緩衝筒３８は、第１実施形態と同様、シリコーンゴムなどの弾力性を有する軟質の合成樹脂によって形成されている。この緩衝筒３８は、図１１に示すように、その内径が連結ピン５の外径と同じ大きさで、外径がバンド駒３の凸部６の第１駒連結孔８の内径および緩衝部材３５の第２緩衝部３７の内径と同じ大きさで形成されている。
【０１０１】
一方、連結ピン５は、図１１に示すように、その外径が緩衝筒３８の内径と同じ大きさで、軸方向の長さがバンド駒３の連結方向と直交するバンド駒３の幅方向の長さよりも少し長く形成されている。これにより、連結ピン５は、バンド駒３の凹部７の第２駒連結孔９に挿入された緩衝部材３５の第２緩衝部３７内とバンド駒３の凸部６の第１駒連結孔８内とに挿入された際に、バンド駒３の両側に突出して一対のバンド保護部材１０の各係止穴１０ｂにそれぞれ挿入されるように構成されている。
【０１０２】
この場合、緩衝筒３８は、図１１に示すように、軸方向の長さが連結ピン５の軸方向の長さよりも短い長さで、かつバンド駒３の幅方向の長さよりも少し短い長さで形成されている。これにより、緩衝筒３８は、連結ピン５の外周に装着された際に、連結ピン５の両端部が緩衝筒３８の両端部から突出するように構成されている。
【０１０３】
また、この緩衝筒３８は、図１１に示すように、連結ピン５の外周に装着された状態で、バンド駒３の凹部７の第２駒連結孔９に挿入された緩衝部材３５の第２緩衝部３７内とバンド駒３の凸部６の第１駒連結孔８とに挿入された際に、緩衝筒３８の両端部がバンド駒３の凹部７の第２駒連結孔９にそれぞれ挿入された緩衝部材３５の各第２緩衝部３７の各外端部とほぼ同じ位置になるように構成されている。
【０１０４】
ところで、一対のバンド保護部材１０は、第１実施形態と同様、バンド駒３の両側部にねじ部材１１によって取り付けられている。すなわち、これら一対のバンド保護部材１０は、図６に示したように、ねじ部材１１によってバンド駒３の両側部に取り付けられた際に、バンド駒３の凹部７の両側部７ａから突出した連結ピン５の各端部が各係止穴１０ｂに挿入されることにより、ねじ部材１１を中心に一対のバンド保護部材１０が回転しないように構成されている。
【０１０５】
次に、このような第２実施形態における腕時計のバンド２の作用について説明する。
このバンド２を組み立てる場合には、まず、バンド駒３の凹部７の両側部７ａに設けられた第２駒連結孔９に一対の緩衝部材３５の各第２緩衝部３７をそれぞれ挿入する。すなわち、バンド駒３の凹部７の内部側から筒状の第２緩衝部３７をバンド駒３の凹部７の第２駒連結孔９にそれぞれ挿入させて、第１緩衝部３６をバンド駒３の凹部７内の両側面にそれぞれ押し当てる。
【０１０６】
このときには、バンド駒３の凹部７の第２駒連結孔９に挿入された第２緩衝部３７の外端部がバンド駒３の両側から突出することなく、バンド駒３の凹部７の第２駒連結孔９内に配置される。この状態で、バンド駒３の凹部７内に、これに隣接する他のバンド駒３の凸部６を配置する。この状態では、凹部７内の両側面とこれに対向する凸部６の両側面との間に第１緩衝部３６が挟まれる。
【０１０７】
そして、バンド駒３の凹部７の第２駒連結孔９内に挿入された一対の緩衝部材３５の各第２緩衝部３７とバンド駒３の凸部６の第１駒連結孔８とを同一軸上に対応させる。このときには、凹部７内の両側面とこれに対向する凸部６の両側面との間に、第１緩衝部３６が挟まれた状態で、凸部６の先端面とこれに対応する凹部７内の内端面との間に僅かな隙間が設けられる。このため、バンド駒３の凹部７とこれに隣接する他のバンド駒３の凸部６とが接触することがない。
【０１０８】
この状態で、一対の緩衝部材３５の各第２緩衝部３７内に連結ピン５を緩衝筒３８と共に挿入させる。このときには、予め、連結ピン５の外周に緩衝筒３８を取り付ける。そして、連結ピン５の一端部を緩衝筒３８と共にバンド駒３の凹部７の第２駒連結孔９内に挿入された一方の緩衝部材３５の第２緩衝部３７内にバンド駒３の外部から挿入させて、隣接する他のバンド駒３の凸部６の第１駒連結孔８内に挿入させた上、バンド駒３の凹部７の第２駒連結孔９内に挿入された他方の緩衝部材３５の第２緩衝部３７内にバンド駒３の凹部７の内部側から挿入させる。
【０１０９】
これにより、金属製の連結ピン５が緩衝筒３８によって凹部７の両側部７ａの第２駒連結孔９と凸部６の第１駒連結孔８とに接触することなく配置される。この状態では、バンド駒３の凹部７の両側部７ａとこれに隣接する他のバンド駒３の凸部６とが連結ピン５によって回転可能な状態で連結される。このため、バンド駒３とこれに隣接する他のバンド駒３とが連結ピン５を中心に回転可能な状態で連結される。このようにして、複数のバンド駒３を順次連結する。
【０１１０】
そして、複数のバンド駒３の各両側部に一対のバンド保護部材１０をそれぞれ配置させてねじ部材１１によって取り付ける。このときには、第１実施形態と同様、バンド保護部材１０の対向面に設けられた係止穴１０ｂに凹部７の両側部７ａから突出した連結ピン５の両端部を挿入させて、バンド保護部材１０の座ぐり孔１０ａをバンド駒３の取付孔１４に同一軸上に対応させる。
【０１１１】
この状態で、ねじ部材１１の雌ねじ部１２の軸部１２ｂを一方のバンド保護部材１０の座ぐり孔１０ａからバンド駒３の取付孔１４に挿入させる。そして、雄ねじ部１３のねじ部１３ｂを他方のバンド保護部材１０の座ぐり孔１０ａからバンド駒３の取付孔１４に挿入させて、雌ねじ部１２の軸部１２ｂの端部に設けられたねじ穴１２ｃに螺合させ、この状態で雌ねじ部１２と雄ねじ部１３とを締め付ける。
【０１１２】
すると、雌ねじ部１２の頭部１２ａと雄ねじ部１３の頭部１３ａとが一対のバンド保護部材１０の各座ぐり孔１０ａ内に配置されて、一対のバンド保護部材１０がバンド駒３の両側に押し付けられて固定される。この状態では、バンド保護部材１０の係止穴１０ｂに緩衝筒４の外端部が挿入されているので、ねじ部材１１を中心にバンド保護部材１０が回転することがない。これにより、バンド２が組み立てられる。
【０１１３】
このように組み立てられた腕時計のバンド２では、第１実施形態と同様、バンド駒３がサファイア、ガラス、セラミックなどの硬い脆性材料で形成されてことにより、カラー化が可能になるため、装飾性および色彩性が高く、かつバンド保護部材１０を除く箇所のバンド駒３が露出していることにより、デザイン性に優れ、商品価値の高いものが得られる。
【０１１４】
また、この腕時計のバンド２では、バンド駒３の凸部６の両側面とこれに隣接する他のバンド駒３の凹部７内の両側面との間に緩衝部材３５の第１緩衝部３６が配置されているので、バンド駒３がサファイア、ガラス、セラミックなどの硬い脆性材料で形成されていても、落下などによる衝撃を受けた際に、バンド駒３の凸部６とこれに隣接する他のバンド駒３の凹部７とが相互に当接することがない。このため、衝撃によってバンド駒３の凸部６とこれに隣接する他のバンド駒３の凹部７との破損を防ぐことができる。
【０１１５】
また、この腕時計のバンド２では、バンド駒３の凹部７の両側部７ａに設けられた第２駒連結孔９に緩衝部材３５の第２緩衝部３７がそれぞれ挿入され、これら第２緩衝部３７に連結ピン５の両端部が挿入された状態で、隣接する他のバンド駒３の凸部６に設けられた第１駒連結孔８に挿入されているので、連結ピン５がバンド駒３の凹部７の第２駒連結孔９と隣接する他のバンド駒３の凸部６の第１駒連結孔８とに接触することがない。このため、バンド２が落下などによる衝撃を受けた際に、バンド駒３の凸部６とこれに隣接する他のバンド駒３の凹部７の両側部７ａとが連結ピン５によって破損することがない。
【０１１６】
この場合、バンド駒３の凸部６とこれに隣接するバンド駒３の凹部７とを連結する金属製の連結ピン５は、その外周に緩衝筒３８が設けられているので、バンド駒３における凹部７の両側部７ａの第２駒連結孔９に挿入された緩衝部材３５の第２緩衝部３７と、これに隣接する他のバンド駒３の凸部６の第１駒連結孔８とに、挿入されていても、バンド駒３の凸部６とこれに隣接する他のバンド駒３の凹部７とに接触することない。
【０１１７】
このため、この腕時計のバンド２では、バンド２が落下などによる衝撃を受けた際に、連結ピン５の外周に設けられた緩衝筒３８によって、衝撃を緩衝することができるので、バンド駒３の凸部６とこれに隣接する他のバンド駒３の凹部７の両側部７ａとが連結ピン５によって破損することがない。
【０１１８】
また、バンド駒３の側部には、カーボン樹脂などの軽くて剛性の高い材料のバンド保護部材１０が取り付けられているので、第１実施形態と同様、バンド駒３の側部が落下などによる衝撃を受けても、その衝撃をバンド保護部材１０で受け止めることができるので、バンド駒３の側部の縁部が割れたり欠けたりすることがなく、バンド保護部材１０によってバンド駒３の側部を確実にかつ良好に保護することができる。
【０１１９】
このように、この第２実施形態における腕時計のバンド２によれば、第１実施形態と同様の作用効果があるほか、バンド駒３の凸部６とこれに隣接する他のバンド駒３の凹部７との接触を防ぐ緩衝部材３５が、バンド駒３の凸部６とこれに隣接する他のバンド駒３の凹部７との間に配置される第１緩衝部３６と、凹部７の第２駒連結孔９に挿入される筒状の第２緩衝部３７と、を備えていることにより、衝撃によってバンド駒３の凸部６とこれに隣接する他のバンド駒３の凹部７との破損を防ぐことができる。
【０１２０】
すなわち、この腕時計のバンド２では、緩衝部材３５の第１緩衝部３６が、バンド駒３の凸部６の両側面とこれに隣接する他のバンド駒３の凹部７内の両側面との間に配置されるので、落下などによる衝撃を受けた際に、バンド駒３の凸部６の両側面とこれに隣接する他のバンド駒３の凹部７内の両側面とが相互に当接するのを防ぐことができ、これにより衝撃によってバンド駒３の凸部６とこれに隣接する他のバンド駒３の凹部７との破損を確実に防ぐことができる。
【０１２１】
また、この腕時計のバンド２では、緩衝部材３５の筒状の第２緩衝部３７が凹部７の第２駒連結孔９に挿入され、この第２緩衝部３７内に連結ピン５の両側部が挿入された状態で隣接する他のバンド駒３の凸部６の第１駒連結孔８に挿入されているので、連結ピン５が金属製であっても、バンド駒３の凹部７の第２駒連結孔９と隣接する他のバンド駒３の凸部６の第１駒連結孔８とに接触することがない。このため、バンド２が落下などによる衝撃を受けた際に、バンド駒３の凸部６とこれに隣接する他のバンド駒３の凹部７の両側部７ａとが連結ピン５によって破損しないようにすることができる。
【０１２２】
この場合、この腕時計のバンド２では、バンド駒３の凸部６とこれに隣接するバンド駒３の凹部７とを連結する金属製の連結ピン５の外周に緩衝筒３８が設けられているので、バンド駒３における凹部７の両側部７ａの第２駒連結孔９に挿入された緩衝部材３５の第２緩衝部３７と、これに隣接する他のバンド駒３の凸部６の第１駒連結孔８とに、連結ピン５が挿入されていても、バンド駒３の凸部６とこれに隣接する他のバンド駒３の凹部７とに接触することがない。
【０１２３】
このため、この腕時計のバンド２では、落下などによる衝撃を受けた際に、連結ピン５の外周に設けられた緩衝筒３８によって、衝撃を緩衝することができるので、バンド駒３の凸部６とこれに隣接する他のバンド駒３の凹部７の両側部７ａとが連結ピン５によって破損するのを確実に防ぐことができる。
【０１２４】
なお、上述した第２実施形態では、バンド駒３同士を連結する構造について述べたが、この発明は、これに限らず、例えば第１実施形態と同様、バンド駒３と腕時計ケース１のバンド取付部１５とを連結する構造にも適用することができる。
【０１２５】
また、上述した第２実施形態では、連結ピン５が単純な棒状である場合について述べたが、この発明は、これに限らず、例えば図９に示された変形例のように、連結ねじ部材３０を用いて、バンド駒３の凸部６とこれに隣接する他のバンド駒３の凹部７とを連結するようにしても良い。
【０１２６】
また、上述した第２実施形態では、緩衝部材３５の第２緩衝部３７をバンド駒３の凹部７の両側部７ａに設けられた第２駒連結孔９に挿入させた場合について述べたが、この発明は、これに限らず、例えば緩衝部材３５の第１緩衝部３６をバンド駒３の凹部７とこれに隣接する他のバンド駒３の凸部６との間に配置させた状態で、バンド駒３の凸部６に設けられた第１駒連結孔８に第２緩衝部３７を挿入させた構造であっても良い。
【０１２７】
また、上述した第２実施形態では、緩衝部材３５の第２緩衝部３７をバンド駒３の凹部７の両側部７ａに設けられた第２駒連結孔９とバンド駒３の凸部６に設けられた第１駒連結孔８との一方に挿入させた場合について述べたが、この発明は、これに限らず、例えば緩衝部材３５の第１緩衝部３６をバンド駒３の凹部７とこれに隣接する他のバンド駒３の凸部６との間に配置させた状態で、第２緩衝部３７をバンド駒３の凸部６の第１駒連結孔８とこれに隣接する他のバンド駒３の凹部７の第２駒連結孔０との両方に挿入させた構造であっても良い。
【０１２８】
さらに、上述した第２実施形態では、緩衝部材３５の第１緩衝部３６をバンド駒３の凸部６の両側面とこれに隣接する他のバンド駒３の凹部７内の両側面との間に配置させた場合について述べたが、この発明は、これに限らず、例えば第１緩衝部３６の一部をバンド駒３の凸部６の先端面とこれに隣接する他のバンド駒３の凹部７の内端面との間に延長させて、凸部６の先端面とこれに対応する凹部７の内端面との間に隙間を設けるように構成しても良い。
【０１２９】
また、上述した第２実施形態では、緩衝部材３５がワッシャー形状の第１緩衝部３６と筒形状の第２緩衝部３７とを備えている場合について述べたが、この発明は、これに限らず、緩衝部材３５がワッシャー形状の第１緩衝部３６のみを備えた構造であっても良い。
【０１３０】
なおまた、上述した第１、第２実施形態では、腕時計のバンド２に適用した場合について述べたが、この発明は、必ずしも腕時計のバンド２である必要はなく、例えば鞄やバッグ、腕輪などのバンドにも適用することができる。
【０１３１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１３２】
（付記）
請求項１に記載の発明は、一端部に凸部が設けられ、他端部に前記凸部と対応する大きさの凹部が設けられた脆性材料のバンド駒と、前記バンド駒の前記凸部が配置される凹部が設けられた脆性材料の他の部材と、前記バンド駒の前記凸部に設けられた第１連結孔と前記他の部材の前記凹部の両側部に設けられた第２連結孔とに挿入されて、前記バンド駒の前記凸部と前記他の部材の前記凹部とを非接触状態で固定する緩衝筒と、前記緩衝筒内に挿入されて前記バンド駒と前記他の部材とを連結する連結部材と、を備えていることを特徴とするバンドである。
【０１３３】
請求項２に記載の発明は、請求項１に記載のバンドにおいて、前記バンド駒の前記第１連結孔の内径と前記他の部材の前記第２連結孔の内径とが異なり、前記緩衝筒は、前記第１連結孔と前記第２連結孔との境界部に位置して前記凸部と前記凹部との接触を防ぐための段差部が設けられていることを特徴とするバンドである。
【０１３４】
請求項３に記載の発明は、請求項１または請求項２に記載のバンドにおいて、前記バンド駒の前記凸部と前記他の部材の前記凹部との接触を防ぐ緩衝部材が前記凸部または前記凹部に設けられていることを特徴とするバンドである。
【０１３５】
請求項４に記載の発明は、請求項３に記載のバンドにおいて、前記緩衝部材は、前記バンド駒の前記凸部と前記他の部材の前記凹部との間に配置される第１緩衝部と、前記凸部の前記第１連結孔と前記凹部の前記第２連結孔との少なくとも一方に挿入されて前記連結部材が挿入する筒状の第２緩衝部と、を備えていることを特徴とするバンドである。
【０１３６】
請求項５に記載の発明は、請求項１〜請求項４のいずれかに記載のバンドにおいて、前記バンド駒の両側部と前記他の部材の両側部とには、保護部材が取り付けられていることを特徴とするバンドである。
【０１３７】
請求項６に記載の発明は、請求項１〜請求項５のいずれかに記載のバンドにおいて、前記他の部材は、前記バンド駒と同じバンド駒であり、前記バンド駒の前記凸部が隣接する前記他のバンド駒の前記凹部内に配置されて連結されることを特徴とするバンドである。
【０１３８】
請求項７に記載の発明は、請求項１〜請求項５のいずれかに記載のバンドにおいて、前記他の部材は、ケースに設けられた脆性材料のバンド取付部であり、前記バンド取付部の前記凹部内に前記バンド駒の前記凸部が配置されて連結されることを特徴とするバンドである。
【０１３９】
請求項８に記載の発明は、請求項１〜請求項７のいずれかに記載されたバンドを備えていることを特徴とする時計である。
【符号の説明】
【０１４０】
１  腕時計ケース
２  バンド
３  バンド駒
４、３８  緩衝筒
４ａ  小径筒部
４ｂ  大径筒部
４ｃ  段差部
５  連結ピン
６  凸部
７、２２  凹部
７ａ、２２ａ  両側部
８  第１駒連結孔
９  第２駒連結孔
１０  バンド保護部材
１０ａ  座ぐり孔
１０ｂ、２５  係止穴
１１  ねじ部材
１２、３１  雌ねじ部
１２ａ、３１ａ  頭部
１２ｂ、３１ｂ  軸部
１２ｃ、３１ｃ  ねじ穴
１３、３２  雄ねじ部
１３ａ、３２ａ  頭部
１３ｂ、３２ｂ  ねじ部
１４  取付孔
１５  バンド取付部
１７  ケース本体
１９  第２ケース保護部材
２３  ケース連結孔
３０  連結ねじ部材
３５  緩衝部材
３６  第１緩衝部
３７  第２緩衝部
【図１】
2019084332.tif 000003
【図２】
2019084332.tif 000004
【図３】
2019084332.tif 000005
【図４】
2019084332.tif 000006
【図５】
2019084332.tif 000007
【図６】
2019084332.tif 000008
【図７】
2019084332.tif 000009
【図８】
2019084332.tif 000010
【図９】
2019084332.tif 000011
【図１０】
2019084332.tif 000012
【図１１】
2019084332.tif 000013
【図１２】
2019084332.tif 000014